(57)【要約】【課題】従来行われていた通信ケーブルの仮置きの場合、通信ケーブルが防塵養生シートで覆い束ねられているため、束ねられた通信ケーブルの先端に取り付けられたコネクタ部分でケーブル被覆を損傷させてしまう虞がある上に、覆っている防塵養生シートに遮られて作業箇所が隠れてしまい、通信機器の交換作業に支障を来たす虞もあった。【解決手段】通信ケーブル１１を一本或いは一グループずつ、押し込み操作により抜け出ることなく収納すると共に引き抜き操作により取り出すことができるケーブル収納部１２を、収納された通信ケーブル１１が横並びになるように複数配置した。ケーブル収納部１２は、押し込まれた一本或いは一グループの通信ケーブル１１の異なった外径に対応して挟持することができる弾力性を有している。【選択図】図１
2014045627.tif 000002
【特許請求の範囲】
【請求項１】
ケーブルを一本或いは一グループずつ、押し込み操作により抜け出ることなく収納すると共に引き抜き操作により取り出すことができるケーブル収納部を、収納された前記ケーブルが横並びになるように複数配置したケーブル整理具。
【請求項２】
前記ケーブル収納部が、押し込まれた前記一本或いは一グループのケーブルの異なった外径に対応して挟持することができる弾力性を有している請求項１に記載のケーブル整理具。
【請求項３】
前記ケーブルが接続される接続対象物が搭載された架に対し、前記ケーブルを一本或いは一グループずつ押し込む押込口を露出させた状態に取付固定すると共に、取付固定を解除することができる取付固定部を備える請求項１または２に記載のケーブル整理具。
【請求項４】
複数のケーブルが接続された接続対象物を搭載する架に、請求項１から３のいずれか一項に記載のケーブル整理具を装着し、前記接続対象物から取り外した前記複数のケーブルを前記ケーブル収納部に収納し仮置きする工程と、前記接続対象物に接続された前記複数のケーブルを全て取り外した後、前記接続対象物を前記架から取り除き、代わりに更新接続対象物を前記架に搭載する工程と、仮置きされている前記複数のケーブルを、前記ケーブル収納部から取り出し、前記架に搭載した前記更新接続対象物に接続する工程と
を有するケーブル整理具を用いたケーブル整理方法。
【請求項５】
前記接続対象物から取り外した前記複数のケーブルは、前記ケーブル収納部に収納された後、前記ケーブル収納部からそれぞれ個別に取り出すことにより、任意の順番で前記更新接続対象物に接続する請求項４に記載のケーブル整理具を用いたケーブル整理方法。
【発明の詳細な説明】
【技術分野】
【０００１】
この発明は、ケーブルの収納及び取り出しができるケーブル整理具に関し、特に、通信ケーブルが接続されている通信機器の交換時において、取り外した通信ケーブルを収納すると共に収納した通信ケーブルを取り出すことができるケーブル整理具、及びケーブル整理具を用いたケーブル整理方法に関する。
【背景技術】
【０００２】
従来、故障等により通信機器を交換する場合、交換対象の通信機器に接続されていた複数の通信ケーブルは、取り外された後、交換対象の通信機器を撤去して新たな通信機器である更新通信機器を設置するまでの間、仮置きされることになる。
複数の通信ケーブルの仮置きに際しては、複数の通信ケーブルを防塵養生シートで覆い束ねることにより、仮置きされる通信ケーブルがその周辺の装置や部材等に直接接触することが無いようにして、複数の通信ケーブルを保護するための養生を行っていた。
【０００３】
また、交換対象の通信機器を撤去し更新通信機器を設置した後、取り外して仮置きされた複数の通信ケーブルを更新通信機器に接続するケーブル戻し作業が必要になるが、このケーブル戻し作業に対応して、針金入りビニール紐（以下、ビニタイと略称）や屑線等を利用してケーブルの編み出しを行っていた。編み出しとは、一般に、複数の通信ケーブルを通信機器に接続する場合、ケーブル本数が多くなると接続順序や接続箇所を誤ってしまう誤接続が生じる虞があるため、それを生じさせないように予めケーブル接続順に並べ替えを行うものである。
【０００４】
図８は、編み出しが行われて編み込まれた通信ケーブルを示す説明図である。図８に示すように、編み出しを行うに際しては、二つ折りにしたビニタイ１に、通信機器から最初に取り外した通信ケーブル２ａを挟み込んで指で捻り、その隣に、次に取り外した通信ケーブル２ｂを挟み込んで捻り、これをケーブル本数分繰り返して編み込む。この結果、取り外した通信ケーブル２ａ，２ｂ，２ｃ，２ｄ，…を、取り外した順番に並べて置くことができる。
【０００５】
これにより、取り外した複数の通信ケーブルを更新通信機器に接続するケーブル戻し作業を行う際は、先ず、最後に編み込まれた通信ケーブルの編み込みを解除して、最後に編み込まれた通信ケーブルを、取り外しが最後となったケーブル接続箇所に該当する更新通信機器のケーブル接続箇所に接続する。その後、編み込まれた順番を遡って編み込みを解除した通信ケーブルを、取り外した順番を遡ってケーブル接続箇所に接続していく。これにより、複数の通信ケーブルを、更新通信機器のそれぞれのケーブル接続箇所に誤接続することなく接続することができる。
なお、通信ケーブルの編み出しを行うものとして、心線をコネクタ端子の配列順に並べて保持する「通信ケーブル心線編み出し器」（特許文献１参照）が知られている。
【先行技術文献】
【特許文献】
【０００６】
【特許文献１】実開平４−３３２１４号公報
【発明の概要】
【発明が解決しようとする課題】
【０００７】
しかしながら、従来行われていた通信ケーブルの仮置きの場合、通信ケーブルが防塵養生シートで覆い束ねられているため、束ねられた通信ケーブルの先端に取り付けられたコネクタ部分でケーブル被覆を損傷させてしまう虞がある上に、覆っている防塵養生シートに遮られて作業箇所が隠れてしまい、通信機器の交換作業に支障を来たす虞もあった。
【０００８】
また、通信ケーブルとして光ファイバケーブルが用いられた場合は、束ねた通信ケーブルが先端部の重さで垂れ下がり鋭角度の曲げ部等が生じてしまい、負荷が加わると折れてしまう虞があるので、負荷軽減のために、束ねた通信ケーブルの中間部で通信機器を搭載した架（ラック）に粘着テープ等を用いて仮固定する必要があった。更に、通信ケーブルが、ＵＴＰ（Ｕｎｓｈｉｅｌｄ  Ｔｗｉｓｔｅｄ  Ｐａｉｒ）ケーブル等のワイヤ入りケーブルの場合は、通信機器との接続時の曲げ癖が付いてしまうのが避けられず、束ねた際に接続端側が跳ね上がり通信機器の交換作業に邪魔になることから、光ファイバケーブルの場合と同様に通信機器を搭載したラックに仮固定する必要があった。
【０００９】
また、通信ケーブルの編み出しを行った際に、複数の通信ケーブルを編み込んだ順番とは全く異なる順番で更新通信機器に接続する場合、或いは通信ケーブルの接続順番が経過時間により変わる場合が生じると、一度編み込みを解いて新たな順番に並べ替え再度編み込みを行わなければならず、並べ替えて編み込むために新たな人手のサポートが必要になる。更に、外径が異なる通信ケーブルの編み込みを行うと、径の太いケーブルから径の細いケーブルに移った際にビニタイ等の捻りが弱くなって、外れてしまう虞があり、その上、編み込むのが光ファイバケーブルの場合には、ビニタイ等を捻るときに誤って芯線を折ってしまう虞もある。
【００１０】
この発明の目的は、通信ケーブルを覆い束ねる防塵養生シートを用いること無く、負荷軽減のために粘着テープ等を用いた仮固定をする必要も無く、また、通信ケーブルの編み出しを行うことなく通信ケーブルを収納することができるケーブル整理具、及びこのケーブル整理具を用いたケーブル整理方法を提供することである。
【課題を解決するための手段】
【００１１】
上記目的を達成するため、この発明に係るケーブル整理具は、ケーブルを一本或いは一グループずつ、押し込み操作により抜け出ることなく収納すると共に引き抜き操作により取り出すことができるケーブル収納部を、収納された前記ケーブルが横並びになるように複数配置している。
また、この発明の他の態様に係るケーブル整理具は、前記ケーブル収納部が、押し込まれた前記一本或いは一グループのケーブルの異なった外径に対応して挟持することができる弾力性を有している。
【００１２】
また、この発明の他の態様に係るケーブル整理具は、前記ケーブルが接続される接続対象物が搭載された架に対し、前記ケーブルを一本或いは一グループずつ押し込む押込口を露出させた状態に取付固定すると共に、取付固定を解除することができる取付固定部を備えている。
【００１３】
また、この発明に係るケーブル整理具を用いたケーブル整理方法は、複数のケーブルが接続された接続対象物を搭載する架に、この発明に係るケーブル整理具を装着し、前記接続対象物から取り外した前記複数のケーブルを前記ケーブル収納部に収納し仮置きする工程と、前記接続対象物に接続された前記複数のケーブルを全て取り外した後、前記接続対象物を前記架から取り除き、代わりに更新接続対象物を前記架に搭載する工程と、仮置きされている前記複数のケーブルを、前記ケーブル収納部から取り出し、前記架に搭載した前記更新接続対象物に接続する工程とを有している。
【００１４】
また、この発明の他の態様に係るケーブル整理具を用いたケーブル整理方法は、前記接続対象物から取り外した前記複数のケーブルは、前記ケーブル収納部に収納された後、前記ケーブル収納部からそれぞれ個別に取り出すことにより、任意の順番で前記更新接続対象物に接続することができる。
【発明の効果】
【００１５】
この発明に係るケーブル整理具によれば、ケーブル収納部に、ケーブルを一本或いは一グループずつ、押し込み操作により抜け出ることなく収納すると共に引き抜き操作により取り出すことができ、このケーブル収納部を、収納されたケーブルが横並びになるように複数配置しているので、通信ケーブルを覆い束ねる防塵養生シートを用いること無く、負荷軽減のために粘着テープ等を用いた仮固定をする必要も無く、また、ケーブルの編み出しを行うことなく通信ケーブルを収納することができる。
また、この発明に係るケーブル整理具を用いたケーブル整理方法により、上記ケーブル整理具によるケーブル整理方法を実現することができる。
【図面の簡単な説明】
【００１６】
【図１】この発明の一実施の形態に係るケーブル整理具を模式的に示し、（ａ）は全体の斜視説明図、（ｂ）は一部拡大した正面説明図である。
【図２】この発明の一実施の形態に係るケーブル整理具の他の例（その一）を模式的に示す斜視説明図である。
【図３】この発明の一実施の形態に係るケーブル整理具の他の例（その二）を模式的に示す斜視説明図である。
【図４】通信ケーブルが接続される通信装置を搭載する架にケーブル整理具を装着した状態を示す説明図である。
【図５】通信装置に対する通信ケーブルの接続作業或いは接続解除作業を示す説明図である。
【図６】接続解除した通信ケーブルがケーブル整理具に収納整理されている状態を示す説明図である。
【図７】架に対する通信装置の撤去作業或いは搭載作業を示す説明図である。
【図８】編み出しが行われて編み込まれた通信ケーブルを示す説明図である。
【発明を実施するための形態】
【００１７】
以下、この発明を実施するための形態について図面を参照して説明する。
図１は、この発明の一実施の形態に係るケーブル整理具を模式的に示し、（ａ）は全体の斜視説明図、（ｂ）は一部拡大した正面説明図である。
図１に示すように、ケーブル整理具１０は、上面の一辺側が側面となだらかに繋がる曲面からなる、断面が略矩形状で細長い形状を有しており、長手方向に略等間隔で、通信ケーブル（ケーブル）１１を収納するケーブル収納部１２が複数配置され、長手方向両端には、底面を延長した形状となる板体状の取付部１３が突設されている（（ａ）参照）。このケーブル収納部１２は、収納された通信ケーブル１１が横並びになるように複数配置されているので、ケーブル収納部１２毎に、一本の通信ケーブル１１が収納され一本ずつ横並びに保持されることになり、通信ケーブル１１は仮置き状態に保持される（（ａ）参照）。
【００１８】
なお、一本の通信ケーブル１１には、複数本をまとめて一グループとしたものも含むものであり、一本或いは一グループの通信ケーブル１１を一本の通信ケーブル１１として説明する。
通信ケーブル１１は、外径が略１０ｍｍ以下の、電線（銅線）を用いたＵＴＰケーブルや光ファイバを用いた光ファイバケーブル等からなり、端部に、接続部材であるコネクタ１１ａが取り付けられている。
【００１９】
ケーブル収納部１２は、ケーブル整理具１０の長手方向と略直交して配置された、上面及び両側面が開口となる溝状凹所１４を、通信ケーブル１１が通り抜ける通路部１５と通信ケーブル１１が止まる収納部１６に、上下に二分して形成されている（図１（ａ），（ｂ）参照）。この溝状凹所１４は、開口幅（即ち、ケーブル整理具１０の長手方向幅）が、上面開口から底部まで同一に、且つ、収納する通信ケーブル１１が十分通ることができるように、収納対象となる通信ケーブル１１の外径より広く形成されている。
【００２０】
通路部１５には、例えばスポンジ等の押圧されて圧縮変形する弾力性を有する変形部材１７が、凹所の対向する両壁面に互いに隙間無く密着した状態に取り付けられており、収納部１６には、例えばゴム等の弾性力を有する薄板状のクッション部材１８が、対向する両壁面と底面の全面を覆って取り付けられている。
つまり、ケーブル収納部１２の通路部１５は、押し込まれた一本の通信ケーブル１１の異なった外径に対応して挟持することができる弾力性を有しており、クッション部材１８に囲まれた収納部１６の内部空間ａは、収納対象となる通信ケーブル１１を収納することができる十分な広さを有している。
【００２１】
これにより、通信ケーブル１１を一本ずつ、溝状凹所１４の上面開口から、上面開口に沿う横向き状態で通路部１５の両変形部材１７，１７間の境界面ｂに押し込むことにより、通信ケーブル１１は、境界面ｂを押し広げながら通路部１５を通り抜けて収納部１６に入り込み（図１（ｂ）参照）、収納部１６の内部空間ａに溝状凹所１４の上面開口に沿う横向き状態で収納される（図１（ａ）参照）。
収納部１６の内部空間ａに収納された通信ケーブル１１は、収納部１６の上面側が通路部１５の両変形部材１７，１７により塞がれているので、上方、即ち、通路部１５への移動が阻止され、収納部１６から抜け出ることなく収納状態のままケーブル整理具１０に保持される。
【００２２】
通信ケーブル１１を収納するケーブル整理具１０の上面は、少なくともケーブル押し込み側となる一方が曲面（面取りされたＲ形状。図１（ａ）参照）により形成されているので、通路部１５に押し込まれる通信ケーブル１１が角部により傷付くことが無い。また、通信ケーブル１１が通過する通路部１５は変形部材１７に、通信ケーブル１１が収納保持される収納部１６の内部空間ａはクッション部材１８に、それぞれ囲まれているので、ケーブル収納部１２に収納される通信ケーブル１１を保護して傷付けることが無く、通信ケーブル１１の跳ね上がりも防止することができる。
ケーブル整理具１０に保持されている通信ケーブル１１は、収納部１６から、通路部１５の両変形部材１７，１７間の境界面ｂに向けて引き上げ、境界面ｂを通り抜けて溝状凹所１４の上面開口から引き抜くことにより、ケーブル整理具１０から取り出すことができる。
【００２３】
なお、通路部１５を、両変形部材１７，１７間の境界面ｂに入り込んだ複数本の通信ケーブル１１をそのまま止まらせて置くことができる十分な深さを有して形成することにより、通路部１５においても、複数本の通信ケーブル１１を収納保持することができる。
つまり、通路部１５及び収納部１６は、一本の通信ケーブル１１の外径に、溝状凹所１４の開口幅及び深さと共に、変形部材１７及びクッション部材１８のそれぞれの機能（圧縮変形力及び弾性力）や厚み等を対応させることにより、通路機能及び収納機能を確保して形成されている。
【００２４】
このように、ケーブル整理具１０には、通路部１５と収納部１６からなるケーブル収納部１２が、ケーブル整理具１０の長手方向に一列に並んで複数配置されることになり、ケーブル収納部１２毎に通信ケーブル１１を一本ずつ収納することで、通信ケーブル１１を一本ずつ横向きに並べて保持することができる。
ケーブル整理具１０に、横向きに並べて保持された通信ケーブル１１は、例えば、各ケーブル収納部１２毎に通し番号（例えば、数字の１〜ｎ）を付し、或いは一定数毎にケーブル収納部１２の間隔を異ならせる（例えば、４箇所毎に広くする）ことで、保持した通信ケーブル１１の保持順番や分類分け等の個々の区別が可能になる。
【００２５】
ケーブル整理具１０の底面には、例えば粘着ジェル等の粘着部材からなる粘着部１９が必要に応じた広さ（全面を含む）で形成されており、ケーブル整理具１０の両端に突設された取付部１３には、取付固定部２０が備えられている。取付固定部２０によって、ケーブル整理具１０を、通信ケーブル１１が接続される接続対象物である、例えば通信装置を搭載する架（ラック）等に装着し固定することができ、粘着部１９によって、取付固定部２０により固定するまでの間に、ケーブル整理具１０を落下させること無く保持することができる。
取付固定部２０は、例えば、長方形の金属板の両側を折り曲げてコ字状に形成されており、一方の折り曲げ部２０ａが取付部１３の表面側に、他方の折り曲げ部２０ｂが取付部１３の裏面側、即ち、粘着部１９側に、それぞれ位置するように取付部１３に配置される（（ａ）参照）。
【００２６】
一方の折り曲げ部２０ａには、表裏面を貫通してねじ孔（めねじ部）２０ｃが開けられており、ねじ孔２０ｃには、取付ねじ２１が装着されている。取付ねじ２１は、ねじ山が設けられた軸部（おねじ部）２１ａと、軸部２１ａの上端に設けられた円盤状の操作部２１ｂを有しており、軸部２１ａをねじ穴２０ｃに螺着させ、一方の折り曲げ部２０ａの表面側に操作部２１ｂを露出させている。他方の折り曲げ部２０ｂの、取付部１３の裏面に対向する面には、例えばゴム部材等の弾性力を有する薄板状のクッション部材１８が貼付されている。
【００２７】
この取付固定部２０を用いて、通信装置を搭載する架にケーブル整理具１０を装着し固定する場合、架の、例えば縦枠の表面にケーブル整理具１０の底面（即ち、粘着部１９）を密着させ、取付固定部２０で縦枠を表裏面両側から挟み込むようにする。なお、取付固定部２０は、取付部１３に配置された状態で、取付部１３の裏面と他方の折り曲げ部２０ｂの間に、取付固定部２０による挟み込み対象（ここでは、ケーブル整理具１０を取付固定しようとする架の縦枠）を挟み込むことができる十分な空間を確保する大きさに形成する。
【００２８】
取付固定部２０により、縦枠を取付部１３と他方の折り曲げ部２０ｂのクッション部材１８との空間に位置させた後、一方の折り曲げ部２０ａの取付ねじ２１の操作部２１ｂを回転操作して軸部２１ａを軸回転させ、軸部２１ａをねじ穴２０ｃにねじ込む。ねじ込まれた軸部２１ａの先端が取付部１３の表面に達すると、その後、軸部２１ａの軸回転に伴って、ねじ穴２０が開けられた一方の折り曲げ部２０ａが取付部１３から離反するように、即ち、他方の折り曲げ部２０ｂが取付部１３へと接近するように移動する。この他方の折り曲げ部２０ｂの移動により、取付部１３と他方の折り曲げ部２０ｂの間に縦枠を挟み込むことになり、取付固定部２０は枠体を挟み込んで固定された状態になる。
【００２９】
つまり、取付固定部２０は、通信ケーブル１１が接続される接続対象物（例えば通信装置）が搭載された架に対し、通信ケーブル１１を一本（或いは一グループ）ずつ押し込む押込口となる、溝状凹所１４の上面開口側に位置する通路部１５の両変形部材１７，１７間の境界面ｂを、露出させた状態に取付固定すると共に、取付固定を解除することができる。
ケーブル整理具１０の底面を縦枠の表面に密着させることにより、ケーブル整理具１０は底面の粘着層１９により縦枠の表面に密着固定した仮止め状態になる。このため、ケーブル整理具１０は、縦枠の表面に密着させた後、取付ねじ２１の操作部２１ｂを回転操作する、取付固定部２０が固定状態になって縦枠に保持される状態になるまでの間、縦枠から落下或いは移動することなく密着固定状態に保持される。
なお、ケーブル整理具１０を構成する部材は、周辺と接触する可能性のある場所に用いられるものについては全て、電気的導通の無い材質で作られている。
【００３０】
図２は、この発明の一実施の形態に係るケーブル整理具の他の例（その一）を模式的に示す斜視説明図、図３は、この発明の一実施の形態に係るケーブル整理具の他の例（その二）を模式的に示す斜視説明図である。
図２に示すように、ケーブル整理具１０Ａは、並設された一対の櫛状カバー部２２の間に、ケーブル整理具１０Ａの長手方向に並べて複数の変形部材１７を組み込み、櫛状カバー部２２の隣接する歯２２ａの間の各隙間に、両変形部材１７，１７間の境界面ｂが位置するようにして、通信ケーブル１１が通り抜ける通路部１５を形成している。この通路部１５の下に、通信ケーブル１１が止まる収納部１６が配置される等、その他の構成及び作用は、ケーブル整理具１０と同様である。なお、取付固定部２０は図示を省略している。
【００３１】
図３に示すように、ケーブル整理具１０Ｂは、一定数の薄肉の隔壁２３ａ毎に厚肉の隔壁２３ｂを組み込んだ複数の隔壁を一列に並べて形成した隔壁カバー部２３の、隣接する隔壁の間の各隙間に、隙間の対向する両壁面に互いに隙間無く密着した状態に変形部材１７を取り付けて、通信ケーブル１１が通り抜ける通路部１５を形成している。この通路部１５の下に、通信ケーブル１１が止まる収納部１６が配置される等、その他の構成及び作用は、ケーブル整理具１０と同様である。なお、取付固定部２０は図示を省略している。
【００３２】
このように、ケーブル整理具１０Ａ及びケーブル整理具１０Ｂの何れにおいても、ケーブル整理具１０と同様に、通路部１５と収納部１６からなるケーブル収納部１２が、ケーブル整理具１０の長手方向に一列に並んで複数配置されることになり、ケーブル収納部１２毎に通信ケーブル１１を一本ずつ収納することで、通信ケーブル１１を一本ずつ横向きに並べて保持することができる。
【００３３】
次に、上述したケーブル整理具１０を用いたケーブル整理方法について、ケーブル整理具１０を、通信ケーブル１１が接続される通信装置（接続対象物）を搭載する架に装着した場合を一例として説明する。
図４は、通信ケーブルが接続される通信装置を搭載する架にケーブル整理具を装着した状態を示す説明図である。図４に示すように、架（ラック）２４には、例えば、ネットワークシステムを構築する際に用いられる複数の通信装置２５が、両縦枠２４ａの間に一台ずつ複数段に配置されて搭載されている。
【００３４】
架２４に搭載された複数の通信装置２５の中の一台が故障した場合、故障した通信装置２５を撤去して新たな通信装置２５に入れ替えるが、このとき、故障した通信装置２５から、接続されている多数の通信ケーブル１１を取り外すと共に、その取り外した通信ケーブル１１を、新たな通信装置２５に接続する必要がある。取り外した通信ケーブル１１は、新たな通信装置２５に接続するまで養生保管されるが、通信ケーブル１１は、その量が多いのに加え、ＵＴＰケーブル等と共に光ファイバケーブルを含むことから、丁寧な取り扱いが求められる。
【００３５】
つまり、光ファイバは強い力で引っ張ると断線（芯線折れ）したり、曲げ径が小さくなると損失が増大することから、光ファイバケーブルでは許容張力及び許容曲げ半径が規定されており、規定値を超えた場合には、光ファイバケーブルの寿命に重大な影響を及ぼす虞があるためである。
そこで、故障した通信装置２５を撤去して新たな通信装置２５に入れ換える装置更新の際には、通信ケーブル１１の養生が重要となり、通信ケーブル１１が接続される通信装置２５を搭載する架２４に装着し固定することができるケーブル整理具１０を用いることで、通信ケーブル１１の養生及び整理を迅速且つ確実に行うことができる。
【００３６】
図４に示すように、ケーブル整理具１０は、架２４の両縦枠２４ａの、取り換え対象の通信装置２５の両側に、それぞれ縦置き状態で配置されており、取り換え対象の通信装置２５を挟んでその両側の略最短距離に位置している。ケーブル整理具１０の配置に際しては、取付ねじ２１の操作部２１ｂを操作して取付固定部２０を縦枠２４ａに対し離脱自在に装着することができるので、任意の位置に配置することができる。
ケーブル整理具１０を用いて架２４に搭載した通信装置２５を入れ換え更新する場合、以下に示す作業手順で装置更新作業を行う。装置更新作業を行うに際し、作業前に事前準備をし、作業後に事後整理をする。なお、以下に示すのは、ケーブル整理具１０を用いた作業手順の一例であって、ケーブル整理具１０は、ケーブルの整理に関する他の様々な作業に用いることができ、その作業内容は、以下の手順に限るものではなく適用した作業に応じて変わるものである。
【００３７】
（事前準備）
１．作業者は、架２４に搭載された複数の通信装置２５に対し区別表示を行う。区別表示は、装置更新のために取り換える通信装置２５が一見して分かるように、現在使用中で取り換え対象ではないことを示す「現用」と、取り換え対象であることを示す「工事中」とを表示した、例えばテープを、各通信装置２５に貼付して行う。
２．作業者は、取り換え対象の通信装置２５のポート２５ａに挿入接続されている通信ケーブル１１に取り付けられている表示チップＴの表示が、作業指示図面どおりの行き先となっていることを確認する。表示チップＴには、表示チップＴが取り付けられた通信ケーブル１１が何処に繋がっているのかが分かるように、通信ケーブル１１の行き先のフロア名称、架名称（ラック番号）、装置名称（装置番号）、スロット番号、ポート番号等の各種情報が表示されている。
【００３８】
３．作業者は、作業指示図面に基づき抜き取り対象となっていない通信ケーブル１１を誤って抜き取らないように、抜き取り対象の通信ケーブル１１のみに「撤去」と表示したテープを貼付する。
４．作業者或いは作業指示者は、取り換え対象の通信装置２５に通信呼が入って来ないように、周辺の通信装置２５を介した通信の迂回処理を行う。
５．作業者は、取り換え対象の通信装置２５に対する通信が全て無くなった状態を確認して、取り換え対象の通信装置２５の電源をオフ（ＯＦＦ）する。
６．作業者は、電源をオフした取り換え対象の通信装置２５から電源供給用ケーブルを外して、養生処理を行う。
【００３９】
７．作業者は、架２４の両縦枠２４ａの、取り換え対象の通信装置２５の両側となる位置に、それぞれ縦置き状態でケーブル整理具１０を装着する。これにより、取り換え対象の通信装置２５を挟んでその両側の略最短距離に、ケーブル整理具１０が位置することになる。ケーブル整理具１０の縦枠２４ａへの取り付けに際し、作業者Ｐは、ケーブル整理具１０を縦枠２４ａに密着させることにより粘着層１９により縦枠２４ａに仮止め状態にし、取付ねじ２１の操作部２１ｂを回転操作することで取付固定部２０により縦枠２４ａを挟み込むようにする。これにより、ケーブル整理具１０は架２４に固定保持される。
【００４０】
次に、通信装置から通信ケーブルを抜き取る抜き取り作業を行う。
図５は、通信装置に対する通信ケーブルの接続作業或いは接続解除作業を示す説明図、図６は、接続解除した通信ケーブルがケーブル整理具に収納整理されている状態を示す説明図である。以下、図５及び図６を参照しつつ説明する。
（通信ケーブルの抜き取り作業）
１．作業指示者（図示しない）は、作業手順書に基づいて、抜き取り対象の通信ケーブル１１が接続されている取り換え対象の通信装置２５のポート２５ａの位置を読み上げる。
２．作業者Ｐは、読み上げられたポート２５ａの位置を確認し、確認したポート２５ａに接続されている通信ケーブル１１の表示チップＴに書かれた行き先を読み上げて作業指示者に報告し、抜き取り対象の通信ケーブル１１のコネクタ１１ａを手に持つ。
【００４１】
３．作業指示者は、読み上げられた通信ケーブル１１の行き先が作業指示図面と合っていることを確認し、抜き取り対象の通信ケーブル１１の抜き取りを指示する。
４．作業者Ｐは、ポート２５ａと抜き取り対象の通信ケーブル１１を目視により確認し、指差し呼称を行った後、手に持っている、抜き取り対象の通信ケーブル１１のコネクタ１１ａのロックを外して、コネクタ１１ａをポート２５ａから引き抜き、抜き取り対象の通信ケーブル１１を通信装置２５から抜き取る（図５参照）。
５．作業者Ｐは、取り換え対象の通信装置２５から抜き取った通信ケーブル１１をケーブル整理具１０に収納する。
【００４２】
６．その後、作業者Ｐは、抜き取り対象の通信ケーブル１１の全てについて、上記１．から５．の作業を繰り返し、取り換え対象の通信装置２５から抜き取り対象の通信ケーブル１１を全て抜き取り、抜き取った通信ケーブル１１をケーブル整理具１０に収納する。この結果、抜き取り対象の通信ケーブル１１は、全て、抜き取ると直ぐに一本ずつ横並びにケーブル整理具１０に収納されることになり、取り換え対象の通信装置２５の側方の縦枠２４ａに配置されたケーブル整理具１０において、養生されると共に、抜き取った複数の通信ケーブル１１が整理されケーブル戻し作業ができる状態になる（図６参照）。
【００４３】
７．作業者Ｐは、取り換え対象の通信装置２５から抜き取り対象の通信ケーブル１１が全て抜き取られていることを確認する。
８．作業者Ｐは、抜き取られた抜き取り対象の通信ケーブル１１から「撤去」と表示されたテープを剥がし、抜き取られた通信ケーブル１１の行き先が変更になる場合には、変更になった行き先に表示チップＴの表示を変える。なお、抜き取られた通信ケーブル１１で再利用しないものは、後の作業の邪魔にならないように、架２４の下に落とす等の仮処置を施し、作業が全て終わった後に撤去する。
【００４４】
次に、取り換え対象の通信装置２５を架２４から撤去する撤去作業を行う。
図７は、架に対する通信装置の撤去作業或いは搭載作業を示す説明図であり、以下、図７を参照しつつ説明する。
（撤去対象の通信装置の撤去作業）
１．作業者Ｐは、抜き取り対象の通信ケーブル１１が全て抜き取られた取り換え対象、即ち、撤去対象の通信装置２５を、架２４から撤去するに際し、取り換え対象の通信装置２５の周辺に撤去作業に邪魔になるような障害物がないことを目視により確認する。
２．作業者Ｐは、撤去対象の通信装置２５を架２４に固定している複数のネジ（図示しない）を外した後、撤去対象の通信装置２５を架２４の前面から引き出して撤去し（図７参照）、邪魔にならない場所まで運んで床面に置く。
【００４５】
次に、撤去対象の通信装置２５に代えて新しい通信装置２５を架２４に搭載する。
（新しい通信装置の搭載作業）
１．作業者は、架２４の、撤去対象の通信装置２５が撤去されて空いたスペースに、新たな通信装置２５を搭載するに際し、搭載作業を行う空いたスペースの周辺に搭載作業に邪魔になるような障害物がないことを目視により確認する。
２．作業者Ｐは、新しい通信装置２５を、架２４の前面まで運び前面から架２４に載せた後押し込んで所定位置に配置し（図７参照）、複数のネジ（図示しない）により新しい通信装置２５を架２４に固定する。
３．作業者は、養生していた電源供給用ケーブルの養生を外し新しい通信装置２５に接続する。
【００４６】
次に、架２４に搭載した新しい通信装置２５に対する初期設定の作業を行う。
（新しい通信装置への初期設定作業）
１．作業者は、架２４に搭載し電源供給用ケーブルが接続された新しい通信装置２５とパーソナルコンピュータ（Ｐｅｒｓｏｎａｌ  Ｃｏｍｐｕｔｅｒ：ＰＣ）等の設定端末を、設定用ケーブルで接続する。
２．作業者は、設定端末に接続された新しい通信装置２５の電源をオン（ＯＮ）し、新しい通信装置２５が正常に起動したことを確認した後、新しい通信装置２５に対する初期設定作業を行う。
【００４７】
次に、ケーブル整理具１０に収納されていた通信ケーブル１１を新しい通信装置２５に接続する。
（ケーブル戻し作業）
１．作業指示者は、作業手順書に基づき、新しい通信装置２５に接続する通信ケーブル１１、即ち、ケーブル戻し作業を行う通信ケーブル１１を読み上げる。
なお、ケーブル戻し作業をするにあたり、通信ケーブル１１をそのまま戻すのではなく通信ケーブル１１の接続順が変更になる場合は、ケーブル整理具１０に収納されている通信ケーブル１１を変更された接続順に並べ替えるケーブル並べ替え作業を、ケーブル戻し作業の前に行う。このケーブル並べ替えは、作業のやり易さや通信装置特有の接続手順がある場合、特に早急に回復を要望された回線がある場合、通信ケーブル１１の一部だけ線種が変更になる場合等に行われる。
２．作業者は、ケーブル整理具１０から、読み上げられた通信ケーブル１１を取り出し、取り出した通信ケーブル１１の接続先を表示チップＴの表示から読み取って作業指示者に報告し、そのコネクタ１１ａを手に持つ。
【００４８】
３．作業指示者は、作業者が接続先を報告した通信ケーブル１１を接続する、新しい通信装置２５のポート２５ａを指示する。
４．作業者Ｐは、指示されたポート２５ａの指差し呼称を行い、手に持ったコネクタ１１ａを該当するポート２５ａに挿入して、新しい通信装置２５に通信ケーブル１１を接続し（図５参照）、接続後、ポート２５ａにコネクタ１１ａがロックされていることを目視により確認した後、指差し呼称を行う。
５．その後、作業者は、ケーブル整理具１０に収納保持されている接続対象の通信ケーブル１１の全てについて、上記１．から４．の作業を繰り返し、新しい通信装置２５に接続対象の通信ケーブル１１が全て接続されていることを確認し、通信ケーブル１１の整理を行う。
【００４９】
続いて、事後処理を行う。
（事後処理）
１．作業者は、取付ねじ２１の操作部２１ｂを回転操作して取付固定具２０を架２４の両縦枠２４ａから外し、通信ケーブル１１が全て取り外されたケーブル整理具１０を架２４から取り除く。
２．作業者は、周辺装置に異常がないことを確認した後、事前準備において貼付した「現用」と表示した、例えばテープを通信装置２５から剥がし、新しい通信装置２５に通信呼を入れるための迂回解除を行う。
【００５０】
上述した作業工程を経て、通信装置２５の入れ換え更新を行うが、通信装置２５の撤去の場合は、事前準備−通信ケーブルの抜き取り作業−撤去対象の通信装置の撤去作業−事後処理の作業工程となり、通信装置２５の増設の場合は、事前準備−ケーブル整理具１０へ増設ケーブル収納−新しい通信装置の搭載作業−新しい通信装置への初期設定作業−ケーブル戻し作業−事後処理の作業工程となる。増設ケーブル収納に際しては、作業指示者の指示に基づいて接続順にケーブル整理具１０に収納し仮置きしておく。
つまり、ケーブル整理具１０を用いて通信ケーブル１１を整理することができるが、そのケーブル整理方法は、以下の工程を有している。
【００５１】
図４から図７に示すように、複数の通信ケーブル１１が接続された通信装置２５（接続対象物）を搭載する架２４に、ケーブル整理具１０を装着し、通信装置２５から取り外した複数の通信ケーブル１１をケーブル収納部１２に収納し仮置きする工程と、通信装置２５に接続された複数の通信ケーブル１１を全て取り外した後、通信装置２５を架２４から取り除き、代わりに新しい通信装置２５（更新接続対象物）を架２４に搭載する工程と、仮置きされている複数の通信ケーブル１１を、ケーブル収納部１２から取り出し、架２４に搭載した新しい通信装置２５に接続する工程とを有している。
【００５２】
また、上記ケーブル整理方法の工程において、通信装置２５（接続対象物）から取り外した複数の通信ケーブル１１は、ケーブル収納部１２に収納された後、ケーブル収納部１２からそれぞれ個別に取り出すことにより、任意の順番で新しい通信装置２５（更新接続対象物）に接続する。
このように、この発明に係るケーブル整理具１０により、入れ換え更新の対象となる通信装置２５が搭載された架２４にケーブル整理具１０を装着して、通信装置２５から抜き取った通信ケーブル１１をその都度、ケーブル収納部１２毎に一本（或いは一グループ）ずつ収納することで、通信ケーブル１１を一本（或いは一グループ）ずつ横向きに並べて収納保持することができる。また、ケーブル収納部１２に収納された通信ケーブル１１を、ケーブル収納部１２からそれぞれ個別に取り出すことにより、収納した順番にかかわらず任意の順番で新しい通信装置２５に接続することができる。
【００５３】
従って、装置更新に際し、作業者が、架２４に搭載された入れ換え対象の通信装置２５の前で、入れ換え対象の通信装置２５から抜き取り対象の通信ケーブル１１を抜き取ってケーブル整理具１０に収納する場合、また、ケーブル整理具１０に収納された通信ケーブル１１をケーブル整理具１０から取り外して新しい通信装置２５に接続する場合、何れの場合にも、通信ケーブル１１は屈曲すること無く略水平に保持されて移動距離も最短となり、単純な動作で速やかに、通信ケーブル１１を一本ずつケーブル整理具１０へ収納し、整理することができる。
【００５４】
この結果、ケーブル整理具１０へ収納保持した後、再び通信装置２５に接続することになる通信ケーブル１１の仮置き養生及び整理保管の作業が容易になり、光ファイバケーブルを含む多種類の通信ケーブル１１及び通信装置２５を保護することができると共に、作業者への負担を軽減し安全に装置を取り換えることが可能になり作業効率を向上させることができる。また、通信ケーブル１１の編み出しを行うことなく、通信ケーブル１１は一本ずつ整理されるので、抜き取ったケーブル戻し作業において、作業対象の通信ケーブル１１を誤認することによる誤接続の発生を防止することができ、更に、通信ケーブル１１の戻し作業において戻す順番に変更があった場合でも、一度編み込みを解いて新たな順番に並べ替えた後、再度編み込みを行うことなく、ケーブル整理具１０において容易に通信ケーブル１１の並べ替えができる。
【００５５】
そして、通信装置２５から抜き取られた大量の通信ケーブル１１は、全て、ケーブル整理具１０に収納保持され、抜き取られた大量の通信ケーブル１１が架２４の前、作業者の周囲に乱雑に放置されることがないので、抜き取られた大量の通信ケーブル１１が障害物となって撤去作業及び搭載作業の邪魔になることは無く、作業対象の通信装置２５の前方及び周囲に、通信ケーブル１１の無い空間を作業領域として確保することができる（図４，５，７参照）。
【００５６】
この結果、通信ケーブル１１を覆う防塵養生シートを用いることがないので、防塵養生シートに遮られて作業箇所が隠れてしまい、通信機器の交換作業に支障を来たすことが無く、作業現場の周辺設備の視認性が向上するので、撤去対象の通信装置２５を架２４から取り除くための引き出し作業（例えば、１００ｋｇの重量の通信装置２５を複数の作業員で持ち１ｍ程引き出す）を、効率良く容易に、且つ、安全に行うことができる。また、負荷軽減のために粘着テープ等を用いた仮固定をする必要も無い。
【００５７】
加えて、ケーブル整理具１０に収納される通信ケーブル１１は、通信ケーブル１１が通り抜ける通路部１５においては変形部材１７により、通信ケーブル１１が止まる収納部１６においてはクッション部材１８により、それぞれ保護されているので、喩え負荷が加わって通信ケーブル１１が引っ張られたとしてもケーブル被覆を損傷させたり、光ファイバケーブルの芯線を折ってしまう虞も無い。
【００５８】
従って、ケーブル整理具１０を用いることにより、通信装置等の故障時における装置の速やかな取り換え作業、ＩＰ機器のサポート終了（ＥＯＬ）等による既設ケーブルを利用した機器の更改作業、装置増設時等におけるケーブルの本数や種類が多い場合のつなぎ込み作業、一部装置のみの撤去時おける既設ケーブルの挟み込みを防止しながらの作業等に、適切に対応することができる。特に、通信装置２５の故障（更改）に伴う通信装置２５の取り換えや通信ケーブル１１の収容換え作業においては、既設の通信ケーブル１１及び周囲の現在使用中の通信装置２５の継続した運転を担保しつつ、早急に復旧させることが求められるが、このような場合、特に、効果的である。
【００５９】
なお、ここでは、ケーブル整理具１０に用いられるケーブルとして通信ケーブル１１を例に挙げて説明したが、通信ケーブル１１に限られるものではなく、他の同様なケーブルにおいても、同様の作用及び効果を奏することができる。
【産業上の利用可能性】
【００６０】
この発明に係るケーブル整理具は、通信ケーブルを覆い束ねる防塵養生シートを用いること無く、負荷軽減のために粘着テープ等を用いた仮固定をする必要も無く、また、ケーブルの編み出しを行うことなく通信ケーブルを収納することができるので、通信ケーブルが接続されている通信機器の交換時において、取り外した通信ケーブルを収納すると共に収納した通信ケーブルを取り出すことができるケーブル整理具に最適である。
【符号の説明】
【００６１】
１０，１０Ａ，１０Ｂ  ケーブル整理具
１１  通信ケーブル
１１ａ  コネクタ
１２  ケーブル収納部
１３  取付部
１４  溝状凹所
１５  通路部
１６  収納部
１７  変形部材
１８  クッション部材
１９  粘着部
２０  取付固定部
２０ａ  一方の折り曲げ部
２０ｂ  他方の折り曲げ部
２０ｃ  ねじ孔
２１  取付ねじ
２１ａ  軸部
２１ｂ  操作部
２２  櫛状カバー部
２２ａ  歯
２３  隔壁カバー部
２３ａ  薄肉の隔壁
２３ｂ  厚肉の隔壁
２４  架
２４ａ  縦枠
２５  通信装置
２５ａ  ポート
Ｐ  作業者
Ｔ  表示チップ
ａ  内部空間
ｂ  境界面
【図１】
2014045627.tif 000003
【図２】
2014045627.tif 000004
【図３】
2014045627.tif 000005
【図４】
2014045627.tif 000006
【図５】
2014045627.tif 000007
【図６】
2014045627.tif 000008
【図７】
2014045627.tif 000009
【図８】
2014045627.tif 000010